(57)【要約】【課題】著作権等を有するキャラクタを撮影するに際し、キャラクタの使用料金を簡易に徴収できるようにする。【解決手段】デジタルカメラ１のユーザＵ０はポイント販売装置２から、キャラクタＣ１〜Ｃ６の撮影に必要なポイントを購入し、デジタルカメラ１に記憶する。キャラクタＣ１〜Ｃ６の撮影時には、キャラクタＣ１〜Ｃ６が所持するＩＤ送信機４と通信を行ってキャラクタＩＤを取得し、キャラクタＣ１〜Ｃ６の種類に応じた必要ポイント数を取得し、これを購入したポイント数から減算する。【選択図】          図１
2004289700.tif 000002
【特許請求の範囲】
【請求項１】
被写体を撮影することにより該被写体の画像を取得する撮影手段と、
該被写体から送信される、該被写体を特定するＩＤ情報を無線により受信する、前記撮影手段の撮影方向に指向性を有する通信手段と、
購入により予め取得した、前記被写体の撮影に必要なポイントを記憶するポイント記憶手段と、
前記被写体の撮影時に前記通信手段が受信した前記ＩＤ情報に応じたポイントを、前記ポイント記憶手段に記憶されたポイントから減算する撮影制御手段とを備えたことを特徴とするカメラ。
【請求項２】
前記ＩＤ情報に応じたポイントが、前記ポイント記憶手段に記憶されたポイントよりも少ない場合には、前記被写体の画像の取得を禁止する画像取得禁止手段をさらに備えたことを特徴とする請求項１記載のカメラ。
【請求項３】
前記ＩＤ情報に応じたポイントが、前記ポイント記憶手段に記憶されたポイントよりも少ない旨を通知する通知手段をさらに備えたことを特徴とする請求項２記載のカメラ。
【請求項４】
請求項１から３のいずれか１項記載のカメラと無線により通信を行う、所定方向に指向性を有する通信手段と、
投入金額に応じた撮影用のポイントを算出するポイント算出手段と、
該ポイント算出手段が算出したポイントを前記カメラに送信するよう、前記通信手段を制御する通信制御手段とを備えたことを特徴とするポイント販売装置。
【請求項５】
前記被写体の種類、前記ＩＤ情報および該被写体の種類に応じたポイント数を対応付けたテーブルを、ネットワーク接続されたサーバから取得するテーブル取得手段をさらに備え、
前記通信制御手段は、前記ポイントの送信時に前記テーブルを前記カメラに送信する手段であることを特徴とする請求項４記載のポイント販売装置。
【請求項６】
被写体に所持される、該被写体を特定するＩＤ情報を無線により送信する、該被写体が撮影される方向に指向性を有する通信手段と、
請求項１から３のいずれか１項記載のカメラとを備えたことを特徴とする撮影システム。
【請求項７】
請求項４または５記載のポイント販売装置をさらに備えたことを特徴とする請求項６記載の撮影システム。
【発明の詳細な説明】
【０００１】
【発明の属する技術分野】
本発明は、テーマパーク等において、キャラクタを撮影する際に用いられるカメラ、カメラへのポイント販売装置並びにカメラを備えた撮影システムに関するものである。
【０００２】
【従来の技術】
肖像権や著作権を有する特定のキャラクタを用いた商品は、商品の価格にキャラクタの使用料金を含めることにより、キャラクタの肖像権や著作権の管理が行われている。一方、テーマパーク等においては、キャラクタの撮影は自由に行うことができるため、キャラクタが肖像権や著作権を有していても、使用料金を徴収することができていないのが現状である。
【０００３】
このため、テーマパークの入場料にキャラクタの使用料金を含めることが考えられるが、撮影する枚数や撮影するキャラクタはテーマパークの入場者に応じて異なるため、テーマパークの入場者に対して不公平な使用料金の負担を求めることとなってしまう。
【０００４】
一方、他の通信機器から撮影情報、個人情報またはスケジュール等の情報を無線により受信する通信手段を備えたカメラが提案されている（特許文献１参照）。このカメラによれば、キャラクタに通信手段を所持させておき、キャラクタが所持する通信手段からキャラクタを特定するＩＤ情報を常時送信させておくことにより、ＩＤ情報をカメラにより受信して、撮影するキャラクタを特定することができる。
【０００５】
【特許文献１】
特開２００２−９４８５７号公報
【０００６】
【発明が解決しようとする課題】
しかしながら、撮影するキャラクタを特定できても、そのキャラクタの使用料金についてはカメラからは徴収することができないため、キャラクタの使用料金を徴収するためには、キャラクタのそばにテーマパークのスタッフが常駐してカメラの所持者から使用料金を徴収する必要があり、その結果、入場者およびテーマパークの双方にとって非常に手間がかかるものとなる。また、入場者は撮影を続けていくと知らないうちに多額の使用料金を支払っていることにもなりかねない。
【０００７】
本発明は上記事情に鑑みなされたものであり、キャラクタの使用料金を簡易に徴収できるようにすることを目的とする。
【０００８】
【課題を解決するための手段】
本発明によるカメラは、被写体を撮影することにより該被写体の画像を取得する撮影手段と、
該被写体から送信される、該被写体を特定するＩＤ情報を無線により受信する、前記撮影手段の撮影方向に指向性を有する通信手段と、
購入により予め取得した、前記被写体の撮影に必要なポイントを記憶するポイント記憶手段と、
前記被写体の撮影時に前記通信手段が受信した前記ＩＤ情報に応じたポイントを、前記ポイント記憶手段に記憶されたポイントから減算する撮影制御手段とを備えたことを特徴とするものである。
【０００９】
「被写体の撮影時」とは、被写体を撮影する前および撮影した後のいずれであってもよい。なお、撮影された画像がピンボケ等により画質が悪いものとなる場合もあるため、撮影した画像を保存するか否かについての指示を受け付けるプレビュー画面を表示し、撮影した画像を保存する指示がなされた場合にのみ、ポイントを減算することが好ましい。
【００１０】
なお、本発明によるカメラにおいては、前記ＩＤ情報に応じたポイントが、前記ポイント記憶手段に記憶されたポイントよりも少ない場合には、前記被写体の画像の取得を禁止する画像取得禁止手段をさらに備えるようにしてもよい。
【００１１】
この場合、前記ＩＤ情報に応じたポイントが、前記ポイント記憶手段に記憶されたポイントよりも少ない旨を通知する通知手段をさらに備えるようにしてもよい。
【００１２】
「画像取得禁止手段」としては、撮影時にレリーズボタンを押下できないようにする手段、撮影しても画像を記憶することができないようにする手段等を用いることができる。
【００１３】
「通知手段」が通知する方法としては、カメラに設けられた液晶モニタに、ポイント数が足りない旨を表示する、その旨を音声により出力するおよびバイブレーションを駆動させる等、種々の方法を用いることができる。
【００１４】
本発明によるポイント販売装置は、本発明によるカメラと無線により通信を行う、所定方向に指向性を有する通信手段と、
投入金額に応じた撮影用のポイントを算出するポイント算出手段と、
該ポイント算出手段が算出したポイントを前記カメラに送信するよう、前記通信手段を制御する通信制御手段とを備えたことを特徴とするものである。
【００１５】
「所定方向」とは、本発明によるポイント販売装置からポイントを購入しようとするカメラの所持者が、ポイント販売装置の前に立った場合にその所持者とのみ無線による通信が可能な方向をいう。
【００１６】
なお、本発明によるポイント販売装置においては、前記被写体の種類、前記ＩＤ情報および該被写体の種類に応じたポイント数を対応付けたテーブルを、ネットワーク接続されたサーバから取得するテーブル取得手段をさらに備えるものとし、
前記通信制御手段を、前記ポイントの送信時に前記テーブルを前記カメラに送信する手段としてもよい。
【００１７】
本発明による撮影システムは、被写体に所持される、該被写体を特定するＩＤ情報を無線により送信する、該被写体が撮影される方向に指向性を有する通信手段と、
本発明によるカメラとを備えたことを特徴とするものである。
【００１８】
なお、本発明による撮影システムにおいては、本発明によるポイント販売装置をさらに備えるものとしてもよい。
【００１９】
【発明の効果】
本発明のカメラによれば、被写体の撮影時に被写体が送信したＩＤ情報を通信手段が受信すると、撮影制御手段がＩＤ情報に応じたポイントをポイント記憶手段に記憶されたポイントから減算する。このため、カメラの所持者が予めポイントを購入しておくことにより、カメラの所持者および被写体の管理者（すなわちテーマパークのスタッフ等）に手間をかけさせることなく、撮影により発生する被写体の使用料金をカメラの所持者から徴収することができる。
【００２０】
また、請求項２のカメラによれば、撮影時においてＩＤ情報に応じたポイントがポイント記憶手段に記憶されたポイントよりも少ない場合には画像取得禁止手段が被写体の画像の取得を禁止する。このため、ポイントが足りない場合には、被写体の画像を取得できないこととなり、これにより、撮影により発生する被写体の使用料金をカメラの所持者から確実に徴収することができる。
【００２１】
この場合、ＩＤ情報に応じたポイントがポイント記憶手段に記憶されたポイントよりも少ないことを通知手段により通知すれば、カメラの所持者はその旨を知ることができる。したがって、カメラの所持者は予め自身が購入したポイントの範囲を超えたことを知ることができ、これにより、知らないうちに被写体を撮影するために支払った使用料金が高額となってしまうことを防止することができる。
【００２２】
本発明のポイント販売装置は、カメラの所持者が投入した金額に応じたポイントをカメラに送信する。このため、カメラの所持者は、本発明のポイント販売装置から予め撮影用のポイントを購入することにより、知らないうちに被写体を撮影するために支払った使用料金が高額となってしまうことを防止することができる。
【００２３】
また、ポイントの送信時に、被写体の種類、ＩＤ情報および被写体の種類に応じたポイント数を対応付けたテーブルをカメラに送信することにより、カメラにおいては、被写体のＩＤ情報を取得するのみでテーブルを参照して撮影しようとする被写体に必要なポイントを取得して、購入したポイントから必要なポイントを減算することができる。したがって、被写体はＩＤ情報のみを送信すればよいこととなる。
【００２４】
【発明の実施の形態】
以下図面を参照して本発明の実施形態について説明する。図１は本発明の実施形態による撮影システムの概略図である。図１に示すように、本実施形態による撮影システムは、テーマパーク内において、テーマパーク内の各所にいる種々のキャラクタＣ１〜Ｃ６を、入場者であるユーザＵ０が所持するデジタルカメラ１により撮影する際に、ユーザＵ０が予めポイント販売装置２から購入したポイントからキャラクタＣ１〜Ｃ６のＩＤ（キャラクタＩＤ）に応じたポイントを減算するものである。なお、キャラクタＣ１〜Ｃ６は、キャラクタＩＤを常時無線により発信するＩＤ送信機を所持している。キャラクタＣ１〜Ｃ６のＩＤ送信機はそれぞれ通信可能エリアＡ１〜Ａ６を有する。また、デジタルカメラ１は通信可能エリアＡ１０を、ポイント販売装置２は通信可能エリアＡ２０をそれぞれ有する。
【００２５】
図２はデジタルカメラの外観斜視図である。図２に示すように、デジタルカメラ１には、被写体像を撮像部に結像させる撮影レンズ１２と、画像データおよびコマ番号等の各種情報を表示する液晶ディスプレイ（ＬＣＤ）１４と、デジタルカメラ１の起動および停止を入力する電源スイッチ１６と、デジタルカメラ１のユーザが撮影を指示するレリーズボタン１８と、デジタルカメラ１に備えられている撮影モード、再生モード、ダイレクトプリントモード、後述するポイント購入モード等の各種のモードを切り替えて設定するモード切替ダイヤル２０と、ＬＣＤ１４に表示されている項目から所望の項目を消去したり、処理を停止したり、選択した処理をキャンセルする際に押下する取消ボタン２２と、ＬＣＤ１４に表示されている項目から選択された項目を実行する際に押下する実行ボタン２４と、デジタルカメラ１に備えられている各種モードが有するメニューを表示する際に押下するメニューボタン２６と、ＬＣＤ１４に表示されているコマ番号のインクリメント、デクリメントおよびメニューの選択等を行う場合に操作する上下左右キー２８と、キャラクタＣ１〜Ｃ６が有する送信機およびポイント販売装置２と無線による通信を行うアンテナ３０と、アンテナ３０に指向性を持たせる導波管３１とが設けられている。
【００２６】
導波管３１は撮影レンズ１２が向く撮影方向に開口部を有しており、これにより、デジタルカメラ１の通信可能エリアＡ１０は図１に示すように撮影方向にのみ指向性を有するものとなっている。また、このように撮影方向にのみ指向性を有するものとすることにより、デジタルカメラ１が撮影時に一度に複数のキャラクタＣ１〜Ｃ６と通信可能となってしまうことを防止できる。
【００２７】
ＬＣＤ１４には、撮影モード時においては、図２に示すように、現在撮影中のスルー画像とともに、後述する残ポイント数、通信中のキャラクタＣ１〜Ｃ６のキャラクタ名、およびそのキャラクタＣ１〜Ｃ６を撮影するのに必要なポイント数が表示される。
【００２８】
図３はデジタルカメラ１の信号処理系のブロック図である。デジタルカメラ１には、被写体像を受光面に結像させて光電変換し、画像データとして出力する撮像部４０と、デジタルカメラ１全体の制御を行うとともに画像データのサンプリングタイミング制御、画像データの記録制御、通信制御、ポイント数の管理および表示制御等の制御を行うＣＰＵ４２と、画像サイズの変更、シャープネス補正、ガンマ補正、コントラスト補正およびホワイトバランス補正等の処理を行う信号処理部４４と、アナログ情報の画像データをデジタルの画像データに変換するＡ／Ｄ変換器４６と、ストロボ４８と、ストロボ４８の操作を制御するストロボ制御部５０と、レリーズボタン１８、モード切替ダイヤル２０、取消ボタン２２、実行ボタン２４、メニューボタン２６および上下左右キー２８等のユーザが情報を入力する際に用いる入力部５２と、入力部５２の設定情報を入力するインターフェースであるＩ／Ｏ５４とが設けられている。
【００２９】
また、デジタルカメラ１には、画像データをＪＰＥＧやモーションＪＰＥＧに代表される手法で圧縮したり、圧縮した画像データを解凍する圧縮解凍部５６と、メモリカードスロット５８に着脱可能に装着されたメモリカード６０に画像データを記録したり読み出したりするために画像データを変換するカードインターフェース６２とが設けられている。メモリカード６０は、半導体、磁気記録および光記録に代表される着脱可能な記録媒体である。
【００３０】
また、デジタルカメラ１には、ポイント販売装置２から購入したポイントを管理するプログラムを含むＣＰＵ４２の動作プログラムや各種定数が記憶されているＲＯＭおよびＣＰＵ４２が処理を実行する際の作業領域となるＲＡＭにより構成されるシステムメモリ６４と、デジタルカメラ１の各種設定定数を電源遮断後も記憶し続けることが可能な書き替え可能な不揮発性メモリ６６と、タイマ撮影時に駆動されるタイマ６８と、現在の時刻を刻むカレンダ時計７０と、各種情報を無線通信によって送受信する場合に用いる無線インターフェース７２と、画像データをＬＣＤ１４に表示するためのＤ／Ａ変換等を行うＬＣＤ制御部７４と、ＣＰＵ４２から指令される表示用の画像データを一時的に記憶しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とが設けられている。なお、電力を各部へ供給するバッテリ８４も設けられている。
【００３１】
そしてＣＰＵ４２がシステムメモリ６４からポイント管理のプログラムを読み出して実行することにより、ＣＰＵ４２が撮影制御手段、画像取得禁止手段および通知手段として機能する。
【００３２】
また、不揮発性メモリ６６には、ポイント販売装置２から購入したポイント、およびキャラクタＣ１〜Ｃ６のキャラクタＩＤと、キャラクタ名と、キャラクタＣ１〜Ｃ６を撮影する際に必要なポイント数とを対応付けたテーブルが記憶されている。図４はテーブルの例を示す図である。図４に示すように、テーブルＴ１には、０×００１０、０×００２０…等のキャラクタＩＤと、××ネコ、△△象…等のキャラクタ名と、２点、３点…等の撮影に必要なポイント数（必要ポイント数）とが対応付けられている。
【００３３】
なお、キャラクタＩＤは、テーマパーク内においてのみ有効なものとしてもよいが、グローバルにユニークなＩＤを用いることにより、テーマパーク外においても画像のサービスを受ける際にキャラクタＩＤを用いることが可能となる。
【００３４】
図５は本実施形態によるデジタルカメラ１により取得される画像データのファイル構造を示す図である。図５に示すように、画像ファイル１００には、撮影情報等が記載されているタグ情報１０２と、撮影した画像データに基づいて生成された１６００×１２００画素のサイズの主画像１０４とが記録されている。タグ情報１０２には、主画像１０４の見出し等に利用される１６０×１２０画素サイズのサムネイル画像１０６と、デジタルカメラ１のカレンダ時計７０から取得した撮影年月日および撮影時の時刻が記載されている撮影日時情報１０８と、撮影時における撮影モードの種類（通常のＮＯＲＭＡＬ、詳細なＦＩＮＥ等）が記載されている撮影モード情報１１０と、信号処理部４４において行われた画像処理の状況（図５においてはホワイトバランスがＡＵＴＯ）について記載されている画像処理情報１１２と、撮影したキャラクタのキャラクタ名が記載されているキャラクタ名情報１１４と、キャラクタＩＤが記載されているキャラクタＩＤ情報１１６と、キャラクタの撮影料の支払い状況およびポイント数が記載されているキャラクタ撮影料情報１１８とを含む。
【００３５】
無線インターフェース７２にはアンテナ３０が接続されており、キャラクタＣ１〜Ｃ６が所持するＩＤ送信機およびポイント販売装置２と通信を行って、各種情報の送受信を実施することが可能となっている。
【００３６】
なお、無線インターフェース７２は、電波、超音波、赤外線等の光を用いたインターフェースである。電波を用いる場合には、無線ＬＡＮ（ローカルエリアネットワーク）等の無線通信の仕様に基づいてもよい。
【００３７】
図６はキャラクタＣ１〜Ｃ６が所持するＩＤ送信機の信号処理系のブロック図である。図６に示すようにＩＤ送信機４は、ＩＤ送信機４の全体の制御を行うＣＰＵ９２と、ＣＰＵ９２を動作させるプログラムや各種定数が記録されているＲＯＭおよびＣＰＵ９２が処理を実行する際の作業領域となるＲＡＭにより構成されるシステムメモリ９４と、ＩＤ送信機４に所持されるキャラクタＣ１〜Ｃ６のキャラクタＩＤを記憶する不揮発性メモリ９６と、キャラクタＩＤを送信する内蔵アンテナ９８を接続する無線インターフェース１２０と、各部へ電力を供給するバッテリ１２２とを備える。
【００３８】
なお、無線インターフェース１２０は、無線インターフェース７２と同様に、電波、超音波、赤外線等の光を用いたインターフェースである。電波を用いる場合には、無線ＬＡＮ等の無線通信の仕様に基づいてもよい。
【００３９】
キャラクタＩＤは、キャラクタＣ１〜Ｃ６の種類に応じてＩＤ送信機４にキャラクタＩＤを送信することにより、不揮発性メモリ９６に記憶される。なお、所持されるキャラクタＣ１〜Ｃ６の種類に応じて、キャラクタＩＤを書き替えることが可能である。
【００４０】
ＩＤ送信機４はキャラクタＣ１〜Ｃ６に固定されることによりキャラクタＣ１〜Ｃ６に所持されており、キャラクタＣ１〜Ｃ６の種類に応じてキャラクタＩＤを送信するための無線の指向性の範囲が異なるものとなっている。通常のキャラクタの場合、キャラクタの正面に指向性を有するようにＩＤ送信機４が構成されてキャラクタＣ１〜Ｃ６に固定される。例えば、図１に示すキャラクタＣ２〜Ｃ６は、通信可能エリアＡ２〜Ａ６に示すようにキャラクタの正面に指向性を有するようにＩＤ送信機４が構成されてキャラクタＣ２〜Ｃ６に固定される。このため、キャラクタＣ２〜Ｃ６については、正面から撮影を行おうとするデジタルカメラ１とのみ通信が行われてキャラクタＩＤが送信され、偶然後ろ姿を撮影しようとしている場合等には、そのデジタルカメラ１にはキャラクタＩＤは送信されない。
【００４１】
一方、いずれの方向からも撮影を行うことが可能なキャラクタ（例えばＣ１）の場合、キャラクタＣ１を中心とした全ての方向が通信可能エリアＡ１となるように、ＩＤ送信機４が構成されてキャラクタに固定される。このため、キャラクタＣ１については、全ての方向から撮影を行おうとするデジタルカメラ１と通信が行われてキャラクタＩＤが送信される。
【００４２】
なお、キャラクタＣ１〜Ｃ６の通信可能エリアＡ１〜Ａ６は、デジタルカメラ１の通信可能エリアＡ１０よりも大きくなるように無線インターフェース１２０により出力が設定されている。このため、１つのキャラクタＣ１〜Ｃ６に対して複数のデジタルカメラ１により撮影が可能となっている。
【００４３】
図７はポイント販売装置２の信号処理系のブロック図である。図６に示すようにポイント販売装置２には、ポイント販売装置２の全体の制御を行うＣＰＵ１３２と、ポイント販売のためのプログラムを含むＣＰＵ１３２を動作させるプログラムや各種定数が記録されているＲＯＭおよびＣＰＵ９２が処理を実行する際の作業領域となるＲＡＭにより構成されるシステムメモリ１３４と、ポイント販売装置２の各種設定定数を電源遮断後も記憶し続けることが可能な書き替え可能な不揮発性メモリ１３６と、ポイントを販売するためにデジタルカメラ１と送信すべく通信を行う内蔵アンテナ１３８を接続する無線インターフェース１４０と、ポイント販売時においてデジタルカメラ１がポイントを購入するために必要な各種情報の表示を行う液晶ディスプレイ（ＬＣＤ）１４２と、各種情報をＬＣＤ１４２に表示するための処理を行うＬＣＤ制御部１４４と、ＬＣＤ１４２から各種入力を行うためのタッチパネル１４６と、タッチパネル１４６の設定情報を入力するインターフェースであるＩ／Ｏ１４８とが設けられている。
【００４４】
また、ポイント販売装置２には、コインの投入を受け付けて投入された金額を表す金額情報を出力するコインマシン１５０と、コインマシン１５０から出力された金額情報を入力するインターフェースであるＩ／Ｏ１５２と、テーマパーク内に設置されたサーバとネットワークを介して接続するためのネットワークインターフェース１５４とが設けられている。
【００４５】
そしてＣＰＵ１３２がシステムメモリ１３４からポイント販売のためのプログラムを読み出して実行することにより、ＣＰＵ１３２がポイント算出手段、通信制御手段およびテーブル取得手段として機能する。
【００４６】
また、不揮発性メモリ１３６にはネットワーク経由でサーバから入手したテーブルＴ１が記憶されており、上述したようにポイント販売時にポイントとともにデジタルカメラ１に送信される。なお、サーバにおいては、新たなキャラクタが登場したとき、特定のキャラクタの人気が上がったときおよび特定のキャラクタの人気が下がったとき等において、テーブルＴ１を更新している。このため、ポイント販売装置２は定期的にサーバにアクセスして、最新のテーブルＴ１を入手して不揮発性メモリ１３６に記憶している。
【００４７】
無線インターフェース１４０は、無線インターフェース７２，１２０と同様に、電波、超音波、赤外線等の光を用いたインターフェースである。電波を用いる場合には、無線ＬＡＮ等の無線通信の仕様に基づいてもよい。
【００４８】
また、内蔵アンテナ１３８は、ポイント販売装置２の正面に立ったユーザＵ０が所持するデジタルカメラ１とのみ通信が可能なように、ポイント販売装置２の正面方向に指向性を有し、かつ図１の通信可能エリアＡ２０に示すように比較的狭い範囲でのみ通信可能なように出力が制御される。これにより、ポイント販売装置２の正面に立ってポイント購入のためにコインを投入したユーザＵ０のデジタルカメラ１とのみ通信可能となる。
【００４９】
コインマシン１５０は、ユーザＵ０によるコインの投入を受け付けるコイン投入口、投入されたコインの金額をカウントとするカウント手段および投入されたコインを溜めておくコイン箱等を備え、ユーザＵ０が投入したコインの金額を表す金額情報を出力する。
【００５０】
次いで、本実施形態において行われる処理について説明する。図８はポイント販売装置２においてユーザＵ０がポイントを購入する際に行われる処理を示すフローチャートである。なお、ユーザＵ０はポイント販売装置２のＬＣＤ１４２に設けられたタッチパネル１４６にタッチすることにより、ポイント購入のための指示をポイント販売装置２に対して行う。
【００５１】
ポイント販売装置２においては、ＣＰＵ１３２が常時ポイント販売のためのプログラムを実行しており、コインの投入があった否かを監視している（ステップＳ１）。ステップＳ１が肯定されると、ＣＰＵ１３２は無線インターフェース１４０を介して、ポイント販売装置２と通信可能なデジタルカメラ１を探索する（ステップＳ２）。具体的には探索中である旨の指示信号を無線により送信する。
【００５２】
一方、デジタルカメラ１は、ポイント購入時にはポイント購入モードに設定されており、ポイント販売装置２が送信したデジタルカメラ１を探索中である旨の指示信号を受信することにより、ポイント販売装置２がデジタルカメラ１の探索中であるか否かを監視している（ステップＳ３）。ステップＳ３が肯定されると、指示信号に対して応答すべく応答信号を送信する（ステップＳ４）。なお、応答信号には、応答信号を送信したデジタルカメラ１を特定する情報（例えばデジタルカメラ１の機器番号等）が含まれる。
【００５３】
ポイント販売装置２は応答信号を受信する。ここで、ポイント販売装置２の指向性の範囲は狭いものとなっているが、複数のユーザＵ０がポイント販売装置２の正面に非常に近接して並んでいる場合には、複数のユーザＵ０のそれぞれが所持するデジタルカメラ１と通信可能となるおそれがある。このため、ＣＰＵ１３２は、受信した応答信号が１台のデジタルカメラ１から送信されたもののみか否かを判定することにより、探索したデジタルカメラ１が１台のみであるか否かを判定する（ステップＳ５）。ステップＳ５が否定されると、ポイント販売装置２の通信可能エリアＡ２０に、複数のデジタルカメラ１が存在するためにポイントの販売を正常に行うことができないとして、その旨の警告を行う（ステップＳ６）。この警告はＬＣＤ１４２に、ポイントの販売ができない旨を表示する、その旨の音声を出力する等により行えばよい。そして、コインマシン１５０がユーザうＵ０が投入したコインを返金して（ステップＳ７）、ステップＳ１に戻る。
【００５４】
一方、ステップＳ５が肯定されると、ユーザＵ０が投入した金額に応じたポイント数の計算を行い（ステップＳ８）、計算により得られたポイント数をユーザＵ０の購入ポイント数としてデジタルカメラ１に送信する（ステップＳ９）。引き続き、ポイント販売装置２は、不揮発性メモリ１３６に記憶されたテーブルＴ１をデジタルカメラ１に送信し（ステップＳ１０）、処理を終了する。
【００５５】
デジタルカメラ１は、ポイント販売装置２が送信した購入ポイント数を受信し（ステップＳ１１）、購入したポイント数により不揮発性メモリ６６に記憶されている以前異購入した残ポイント数を更新する（ステップＳ１２）。すなわち、不揮発性メモリ６６に以前に購入したポイント数が残っている場合には、残っているポイント数に新たに購入したポイント数を加算することにより、残ポイント数を更新する。さらに、テーブルＴ１を受信し（ステップＳ１３）、テーブルＴ１を不揮発性メモリ６６に記憶し（ステップＳ１４）、処理を終了する。
【００５６】
図９および図１０は撮影時において行われる処理を示すフローチャートである。撮影時においてはデジタルカメラ１は撮影モードに切り替えられており、図２に示すようにスルー画像をＬＣＤ１４に表示するとともに、残ポイント数をＬＣＤ１４に表示する（ステップＳ２１）。一方、キャラクタＣ１〜Ｃ６が所持するＩＤ送信機４は常時キャラクタＩＤを送信しているため、ＣＰＵ４２は撮影しようとするキャラクタＣ１〜Ｃ６のＩＤ送信機４が送信したキャラクタＩＤを受信したか否かを監視している（ステップＳ２２）。そして、ステップＳ２２が肯定されると、受信したキャラクタＩＤをシステムメモリ６４に一時記憶する（ステップＳ２３）。
【００５７】
そして、ＣＰＵ４２は不揮発性メモリ６６に記録されたテーブルＴ１を参照して、受信したキャラクタＩＤに対応するキャラクタ名および必要ポイント数を取得し（ステップＳ２４）、取得したキャラクタ名および必要ポイント数をＬＣＤ１４に表示する（ステップＳ２５）。続いて、不揮発性メモリ６６に記憶されている残ポイント数が、撮影しようとするキャラクタの必要ポイント数以上であるか否かを判定する（ステップＳ２６）。ステップＳ２６が否定されると、ポイント数が不足している旨の表示をＬＣＤ１４に行い（ステップＳ２７）、ステップＳ２２に戻る。この際、ＣＰＵ４２はレリーズボタン１８をロックして、撮影を行うことができないようにする。
【００５８】
ユーザＵ０は必要であれば上述したようにポイント販売装置２からポイントを購入する。なお、ポイント数が不足している旨の音声を出力したり、バイブレーションによりポイント数が不足している旨をユーザＵ０に知らせるようにしてもよい。
【００５９】
一方、ステップＳ２６が肯定されると、ユーザＵ０が撮影のためにレリーズボタン１８を押下したか否かの監視を開始し（ステップＳ２８）、ステップＳ２８が否定されるとステップＳ２２に戻る。
【００６０】
ステップＳ２８が肯定されるとＣＰＵ４２は撮像部４０を駆動してキャラクタのＣ１〜Ｃ６の撮影を実行する（ステップＳ２９）。次いで、撮影により取得した画像データをプレビューするためのプレビュー画面をＬＣＤ１４に表示する（ステップＳ３０）。図１１はプレビュー画面を示す図である。図１１に示すように、プレビュー画面には、残りポイント数（３６ｐｔ）、撮影したキャラクタ（ここではＣ４）の画像、キャラクタ名（○○恐竜）、必要ポイント数（５ｐｔ）および画像データをメモリカード６０に記録するか否かの問い合わせ表示がなされる。
【００６１】
ユーザＵ０は、画像データをメモリカード６０に記録する場合には実行ボタン２４を押下し、画像データを記録しない場合には取消ボタン２２を押下する。
【００６２】
ここで、ピンボケや手ぶれ等により撮影に失敗した場合に、撮影により取得した画像データを自動的にメモリカード６０に記録してしまうと、撮影に失敗した画像であるにもかかわらず、キャラクタＣ１〜Ｃ６を撮影したということでポイントが消費されてしまう。このため、本実施形態においては、キャラクタＣ１〜Ｃ６の撮影を行った場合には、図１１に示すようなプレビュー画面を表示して、画像データをメモリカード６０に記録するか否かをユーザＵ０に問い合わせ、ユーザＵ０が画像データを記録する指示を行った場合にのみポイントを消費するようにしたものである。
【００６３】
このため、ＣＰＵ４２は、ユーザＵ０が実行ボタン２４を押下することにより画像データのメモリカード６０への記録の指示がなされたか否かを判定し（ステップＳ３１）、ステップＳ３１が否定されるとステップＳ２２に戻る。ステップＳ３１が肯定されると、不揮発性メモリ６６に記録された残ポイント数から、撮影したキャラクタＣ１〜Ｃ６の必要ポイント数を減算して、新たな残ポイント数を算出し（ステップＳ３２）、新たな残ポイント数をＬＣＤ１４に表示する（ステップＳ３３）。
【００６４】
続いて、ＣＰＵ４２は、画像データを保存するために必要なタグ情報を生成する（ステップＳ３４）。このタグ情報には、図５に示すように、キャラクタＩＤ、キャラクタ名および必要ポイント数が含まれる。そして、画像データをメモリカード６０に記録し（ステップＳ３５）、ステップＳ２２に戻る。
【００６５】
一方、ステップＳ２２が否定された場合、システムメモリ６４に以前に記憶したキャラクタＩＤをクリアし（ステップＳ３６）、ＬＣＤ１４にはキャラクタ名および必要ポイント数を表示することなく、スルー画像のみを表示する（ステップＳ３７）。そして、ユーザＵ０が撮影のためにレリーズボタン１８を押下したか否かの監視を開始し（ステップＳ３８）、ステップＳ３８が否定されるとステップＳ２２に戻る。
【００６６】
ステップＳ３８が肯定されるとＣＰＵ４２は撮像部４０を駆動して撮影を実行する（ステップＳ３９）。なお、ここではキャラクタＣ１〜Ｃ６の撮影を行っていないため、プレビュー画面を表示することなく、ステップＳ３４に進んでタグ情報を生成し、画像データをメモリカード６０に記録し（ステップＳ３５）、ステップＳ２２に戻る。この場合、タグ情報におけるキャラクタＩＤ、キャラクタ名および必要ポイント数は、空欄（すなわちｎｕｌ）となる。
【００６７】
このように、本実施形態においては、キャラクタＣ１〜Ｃ６を撮影した際に、キャラクタＣ１〜Ｃ６が所持するＩＤ送信機４が送信したキャラクタＩＤをデジタルカメラ１が受信していると、キャラクタＩＤに応じたポイントを不揮発性メモリ６６に記憶された残ポイント数から減算するようにしたため、ユーザＵ０がポイント販売装置２から予めポイントを購入しておくことにより、ユーザＵ０およびキャラクタＣ１〜Ｃ６の管理者（すなわちテーマパークのスタッフ等）に手間をかけさせることなく、撮影により発生するキャラクタＣ１〜Ｃ６の使用料金をユーザＵ０から徴収することができる。
【００６８】
また、撮影しようとするキャラクタＣ１〜Ｃ６に必要なポイント数が、不揮発性メモリ６６に記憶された残ポイント数よりも少ないときには、ポイント数が不足している旨の表示を行ってレリーズボタン１８を押下できないようにしたため、ユーザＵ０はそのキャラクタＣ１〜Ｃ６の撮影を所望する場合には新たにポイントを購入する必要がある。したがって、撮影により発生するキャラクタＣ１〜Ｃ６の使用料金を確実にユーザＵ０から徴収することができる。
【００６９】
また、撮影しようとするキャラクタＣ１〜Ｃ６に必要なポイント数が、不揮発性メモリ６６に記憶された残ポイント数よりも少ないときには、ポイント数が不足している旨の表示を行っているため、ユーザＵ０は残ポイント数が少ないことを知ることができ、これにより、知らないうちにキャラクタＣ１〜Ｃ６を撮影することにより支払った、キャラクタＣ１〜Ｃ６の使用料金が高額となってしまうことを防止することができる。
【００７０】
また、ポイント販売装置２からユーザＵ０が購入したポイントをデジタルカメラ１に送信する際に、キャラクタＩＤ、キャラクタ名および必要ポイント数とを対応付けたテーブルＴ１をデジタルカメラ１に送信することにより、デジタルカメラ１においてはキャラクタＩＤを取得するのみで、テーブルＴ１を参照してポイントを減算することができる。したがって、キャラクタＣ１〜Ｃ６が所持するＩＤ送信機４はキャラクタＩＤのみを送信すればよいこととなる。
【００７１】
なお、上記実施形態においては、デジタルカメラ１の不揮発性メモリ６６にテーブルＴ１を予め記憶しておき、キャラクタＣ１〜Ｃ６が所持するＩＤ送信機４からはキャラクタＩＤのみを送信して、テーブルＴ１を参照して必要ポイント数を取得しているが、テーブルＴ１を不揮発性メモリ６６に記憶することなく、キャラクタＣ１〜Ｃ６が所持するＩＤ送信機４からキャラクタＩＤとともに必要ポイント数をデジタルカメラ１に送信するようにしてもよい。
【００７２】
また、上記実施形態においては、残ポイント数が必要ポイント数よりも少ない場合にレリーズボタン１８を押下できないようにしているが、レリーズボタン１８を押下して撮影を行わせた後に、撮影により取得した画像データをメモリカード６０に記録できないようにしてもよい。
【００７３】
また、上記実施形態においては、ユーザＵ０が所持するデジタルカメラ１により撮影を行っているが、テーマパークにおいてデジタルカメラ１を入場者であるユーザＵ０に貸与してユーザＵ０に撮影を行わせるようにしてもよい。
【図面の簡単な説明】
【図１】本発明の実施形態による撮影システムの概略図
【図２】デジタルカメラの外観斜視図
【図３】デジタルカメラの信号処理系のブロック図
【図４】キャラクタＩＤ、キャラクタ名および必要ポイント数を対応付けたテーブルの例を示す図
【図５】本実施形態によるデジタルカメラにより取得される画像データのファイル構造を示す図
【図６】キャラクタが所持するＩＤ送信機の信号処理系のブロック図
【図７】ポイント販売装置の信号処理系のブロック図
【図８】ポイント販売装置においてユーザがポイントを購入する際に行われる処理を示すフローチャート
【図９】撮影時において行われる処理を示すフローチャート（その１）
【図１０】撮影時において行われる処理を示すフローチャート（その１）
【図１１】プレビュー画面を示す図
【符号の説明】
１    デジタルカメラ
２    ポイント販売装置
４    ＩＤ送信機
１４    ＬＣＤ
２２    取消ボタン
２４    実行ボタン
２８    上下左右キー
３０    アンテナ
４０    撮像部
４２，９２，１３２    ＣＰＵ
５２    入力部
６０    メモリカード
６４    システムメモリ
６６    不揮発性メモリ
７２，１２０，１４０    無線インターフェース
９８，１３８    内蔵アンテナ
【図１】
2004289700.tif 000003
【図２】
2004289700.tif 000004
【図３】
2004289700.tif 000005
【図４】
2004289700.tif 000006
【図５】
2004289700.tif 000007
【図６】
2004289700.tif 000008
【図７】
2004289700.tif 000009
【図８】
2004289700.tif 000010
【図９】
2004289700.tif 000011
【図１０】
2004289700.tif 000012
【図１１】
2004289700.tif 000013